(57)【要約】【課題】電力線や通信線などの架空ケーブルに野鳥が止まって閃絡や糞害等をもたらすのを防止する回転式鳥害防止器であって、製造コストを軽減するとともに、耐候性、耐久性等の品質が優れた製品を提供できるようにする。また、鳥害を一層効果的に防止できるようにする。【解決手段】両端部の円弧状リム２，３と該両円弧状リムの間に適宜間隔を置いて平行に架される複数本の棒状部５〜８とを一体のプラスチック成形体１ａ，１ｂとして成形すると共に該棒状部の外周を鋸刃のようなギザギザ状に形成し、一対の該プラスチック成形体どうしを互いの円弧状リム２，３の内周側が架空ケーブル２３を間にして向かい合うように配置して合着することにより該架空ケーブルの外周に回転自在に取り付けられるようにした。【選択図】図１
2007244232.tif 000002
【特許請求の範囲】
【請求項１】
両端部の円弧状リムと該両円弧状リムの間に適宜間隔を置いて平行に架される複数本の棒状部とを一体のプラスチック成形体として成形すると共に該棒状部の外周を鋸刃のようなギザギザ状に形成し、一対の該プラスチック成形体どうしを互いの円弧状リムの内周側が架空ケーブルを間にして向かい合うように配置して合着することにより該架空ケーブルの外周に回転自在に取り付けられるようにしたことを特徴とする回転式鳥害防止器。
【請求項２】
プラスチック成形体の一方の円弧状リムに一体に雄型カップリングを形成するとともに、他方の円弧状リムに一体に雌型カップリングを形成した請求項１に記載の回転式鳥害防止器。
【請求項３】
棒状部は断面係数の大きい横断面略Ｌ字形に成形し、該Ｌ字形の端縁をギザギザ状に形成したものである請求項１または２に記載の回転式鳥害防止器。
【請求項４】
棒状部は断面係数の大きい横断面略Ｔ字形に成形し、該Ｔ字形の端縁をギザギザ状に形成したものである請求項１または２に記載の回転式鳥害防止器。
【発明の詳細な説明】
【技術分野】
【０００１】
本発明は電力線や通信線などの架空ケーブル（ワイヤー）に野鳥が止まって閃絡や糞害等をもたらすのを防止する回転式鳥害防止器に関するものである。
【背景技術】
【０００２】
本発明者の発明に係る下記特許文献１，２に記載された鳥害防止器は、中央に透孔を設けてなる左右一対の支持体と、この支持体の周縁沿いに互いに間隔を置いて配置され、両端部を該支持体に夫々止着してなる複数本の棒材とから籠状の回転体を形成し、電線等の架空ケーブルを該支持体の透孔に貫挿することにより該回転体を回転自在なるようにし、カラス等の野鳥が棒材に止まろうとすると、その野鳥の体重で該回転体が回転して止まれないようになり、鳥害を有効に防止できるものである。
【特許文献１】特公平４−７７５２９号公報
【特許文献２】特公平５−８６１２５号公報
【０００３】
上記棒材は、多数本の長いガラス繊維を不飽和ポリエステル等の熱硬化性樹脂をバインダーとして固めるとともに、その表面に耐候性に優れたポリエチレンを被覆してなるもので、剛性，靭性、および電気絶縁性があって撓みが少ない等観点から上記回転式鳥害防止器を構成する棒材として最適のものである。また、上記支持体はＡＢＳ系等の合成樹脂により成形されていた。
【発明の開示】
【発明が解決しようとする課題】
【０００４】
ところで、この回転式鳥害防止器を組み立てるに際しては、棒材の被覆であるポリエチレンやバインダーのポリエステルの接着性が悪いため、支持体に強固に接合することが困難であった。そこで、従来では電線の被覆を剥がすのに使用されている電線ストリッパーによって棒材の両端部の被覆を剥がすとともに、ガラス繊維表面のバインダーとしての樹脂と接着剤との濡れ性を向上させるために表面を研磨する必要があった。このため、組み立てが煩雑となり、製造コストが掛かるという問題がある他、下記（１）〜（７）に示したような問題があった。
【０００５】
（１）棒材を研磨加工することによってガラス繊維が傷付くおそれがあるので、状態が悪いものでは一定期間経過後に破損するおそれがある。
（２）棒材の両端部にポリエチレン被覆されない部分ができ、バインダーで固められたガラス繊維が露出するおそれがあるので、紫外線や風雨により劣化し易く、短期間で破損するおそれがある。
（３）接着剤との化学反応により棒材側および支持体側の樹脂が溶かされるので、物性が低下し、棒材および支持体の強度が損なわれる。また、本来、接着性のよい材料は、紫外線による劣化や雨水による加水分解が起き易く、いわゆる耐候性がよくないので、数年で割れが発生し、落下するおそれがある。
（４）接着剤の充填が不完全であるとその隙間から雨水が浸入し、接着剤を劣化させ、棒材が脱落するおそれがある。特に寒冷地では侵入した雨水が凍結し膨脹するため、短期間で接着部を破断させるおそれがある。
（５）また、鳥害防止器を架空ケーブルに長手方向に多数を連結して設けると、各鳥害防止器の棒両端の接合部に荷重が掛かり破断のおそれがあるので、連結可能な数は２０本程度が限度となり、多くを連結できない。
（６）高所にある架空ケーブルに設けられた破損した鳥害防止器を交換することは容易でないので、上記のように鳥害防止器の耐久性が悪いことが要因でメンテナンスコストを大幅に増大させる。
（７）体重の少ない小さい鳥が止まると回転体が回転しずらく、特に図９の如く連結した場合は架空ケーブルのたるみによる鳥害防止器間の摩擦抵抗が加わることから回転性能が低下し、期待したような鳥害防止効果が得られないおそれがある。
【課題を解決するための手段】
【０００６】
本発明は上記のような課題を解決しようとするもので、請求項１に記載の回転式鳥害防止器は、両端部の円弧状リムと該両円弧状リムの間に適宜間隔を置いて平行に架される複数本の棒状部とを一体のプラスチック成形体として成形すると共に該棒状部の外周を鋸刃のようなギザギザ状に形成し、一対の該プラスチック成形体どうしを互いの円弧状リムの内周側が架空ケーブルを間にして向かい合うように配置して合着することにより該架空ケーブルの外周に回転自在に取り付けられるようにしたことを特徴とする。
このため、棒材を研磨する等の煩雑な加工を要さず、品質の安定した回転式鳥害防止器を簡単に構成できるとともに、耐候性、耐久性にも優れメンテナンスコストも軽減される。また、ギザギザ状の棒状部は鳥を一層止まり難くする。
【０００７】
また請求項２に記載の発明は、上記請求項１に記載の回転式鳥害防止器において、プラスチック成形体の一方の円弧状リムに一体に雄型カップリングを形成するとともに、他方の円弧状リムに一体に雌型カップリングを形成したことを特徴とする。
このため、多数の回転式鳥害防止器を連結可能となる。
【０００８】
また請求項３に記載の発明は、上記請求項１または２に記載の回転式鳥害防止器において、棒状部は断面係数の大きい横断面略Ｌ字形に成形し、該Ｌ字形の端縁をギザギザ状に形成したことを特徴とする。
また請求項４に記載の発明は、上記請求項１または２に記載の回転式鳥害防止器において、棒状部は断面係数の大きい横断面略Ｔ字形に成形し、該Ｔ字形の端縁をギザギザ状に形成したことを特徴とする。
このため、棒状部が軽量になるとともに、野鳥が止まったとき棒状部の撓み、或いは経年変化による棒状部の撓みが防止され、耐候性、耐久性が優れる。
【発明の効果】
【０００９】
射出成形により一体に成形された一対のプラスチック成形体からなり、製作が容易であるので品質の優れた回転式鳥害防止器を低コストで提供できるようになる。また、耐候性、耐久性が優れているので、メンテナンスコストが軽減される。されにはギザギザ状の棒状部は、鳥を止まり難くするので、鳥害防止の効果が一層向上する。
【発明を実施するための最良の形態】
【００１０】
次に本発明に係る回転式鳥害防止器の実施形態を図面とともに説明する。図１は本発明に係る回転式鳥害防止器を構成する一対のプラスチック成形体１ａ，１ｂの斜視図、図２はその側面図、図３はＡ−Ａ線断面図、図４はＢ−Ｂ線断面図である。両プラスチック成形体１ａ，１ｂは、高密度ポリエチレンを材料とし射出成形金型により夫々一体に成形され、後述する互いの合着のための構造以外は同一構造であるので同時に説明する。２，３はプラスチック成形体１ａ，１ｂの両端部に形成された円弧状（半円弧状）リムで、該円弧状リム２，３の間に４本の棒状部５〜８が夫々適宜間隔（３０度間隔）を置いて平行に架されている。また、該各棒状部の長手方向の略中間部に補強用の円弧状（半円弧状）リム９が該各棒状部と一体に成形される。なお、棒状部５および棒状部８は円弧状リム２，３および円弧状リム９の各端面から半径方向に延びるステー部２ａ，３ａ，９ａの先端に該各ステー部と面一なるように形成され、その断面形状は図４に示されるように略Ｌ字状とすることで断面係数が大きくなるようにしている。そして、該棒状部５および棒状部８はそのＬ字形の端縁を鋸刃のようにピッチ２〜５ｍｍのギザギザ状に形成している。また、棒状部６および棒状部７は、円弧状リム２，３および円弧状リム９の外周面より外方に平行に延設されたステー部２ｂ，３ｂ，９ｂの先端に一体に形成され、その断面形状を略Ｔ字状とすることで断面係数が大きくなるようにしている。そして、棒状部６および棒状部７はそのＴ字形の端縁を同様のギザギザ状に形成している。なお、１０，１０，１０，…は、円弧状リム２と円弧状リム９の間、および円弧状リム３と円弧状リム９の間において、各棒状部５〜８を結ぶように一体に形成された補強用の半円形リングである。
【００１１】
また、一方の円弧状リム２は側方に延設し端縁に雄型カップリングとなる外向鍔１１を一体に形成すると共に、内周にスリップリング１２を一体に形成している。また、他方の円弧状リム３には内周にスリップリング１３を一体に形成すると共に、該円弧状リム３の側面に雌型カップリングとなる鉤状の内向鍔１４を一体に形成している。なお、これらの各成形部分は射出成形時にいわゆるアンダーカット機構を用いた複雑な金型を要することなく成形できるように左右２方向に型抜き可能な形状としている。また、円弧状リム９の内周面にもスリップリング１５が一体に形成されている。
【００１２】
また、棒状部５の両端部と中間部に放射状の切目を有する係合孔１６ａ〜１６ｃが形成され、棒状部８の両端部と中間部にも放射状の切目を有する係合孔１７ａ〜１７ｃが形成されている。
以上については両プラスチック成形体１ａ，１ｂに共通する構成であるが、一方のプラスチック成形体１ａのステー部２ａ，３ａ，９ａの内面側に位置決用突起１８ａ〜１８ｃが形成され、他方のプラスチック成形体１ｂのステー部２ａ，３ａ，９ａには該位置決用突起１８ａ〜１８ｃと相対する位置決孔１９ａ〜１９ｃが形成されている。また、２０はプラスチック成形体１ａの一方のステー部３ａの内面側に突設された鉤状の係合用突起、２１はプラスチック成形体１ｂの一方のステー部３ａに該係合用突起と相対するように形成された角形の係合孔である。また、２２，２２，２２，…は、先端の円錐形係合部２２ａに弾性的に拡縮自在なるようにスリットが形成されたプラスチック製の連結ピンである。
【００１３】
上記のように成形されたプラスチック成形体１ａとプラスチック成形体１ｂとは、互いの円弧状リム２，３，９の内周側が架空ケーブルを間にして向かい合うように配置し、図５〜図８に示したように、位置決用突起１８ａ〜１８ｃを位置決孔１９ａ〜１９ｃに嵌合し、係合用突起２０を係合孔２１に嵌合し合着させると共に、連結ピン２２，２２，２２，…の円錐形係合部２２ａを一時的に収縮させることにより係合孔１６ａ〜１６ｃ，係合孔１７ａ〜１７ｃに貫挿し、該円錐形係合部２２ａを復元させることにより、プラスチック成形体１ａとプラスチック成形体１ｂとをこの合着状態に保つ。これにより円弧状リム２，３，９は架空ケーブル２３の外周を囲う環状になり、架空ケーブル２３の外周で回転自在になる。なおこのようにプラスチック成形体１ａとプラスチック成形体１ｂとを合着することにより互いの棒状部５と棒状部８とが重合して機能的には１本の棒状となる。
【００１４】
このように構成した鳥害防止器では、棒状部５〜８の外周がギザギザ状であるので、野鳥が止まり難く、また止まって野鳥の体重が掛かると架空ケーブル２３の回りに回転トルクが生じ、棒状部５〜８が回転してしまうことから止まれなくなる。また棒状部５〜８が回転する際にこのギザギザが野鳥の足を刺激するので、一旦そのようなことがあると野鳥は近づかなくなる。このため、架空ケーブル下に多くの野鳥の糞が堆積する害、或いは野鳥の飛来によって閃絡事故が起きること等を防止することができる。
【００１５】
なお、棒状部５〜８は横断面の形状を略Ｔ字状や略Ｌ字状等の断面係数の大きい形状にしたことにより剛性が高められ、野鳥が止まったときの撓み、或いは経年変化による撓みを可及的に少なくすることができることから、耐久性を向上させる。また、円弧状リム９を形成したことによっても棒状部の撓みが防止され、耐候性、耐久性が向上する。さらには該各棒状部の長手方向にこのような円弧状リムや半円形リング１０を適宜間隔で複数設けることにより撓みをさらに効果的に防止し得る。
【００１６】
また、図９に示したように、架空ケーブル２３に先に取り付けられた鳥害防止器の外向鍔１１に対し、後で取り付ける鳥害防止器の内向鍔１４が被さるようにし、この雄型カップリングと雌型カップリングとを係合させることで、架空ケーブル２３上に多数の鳥害防止器を夫々回転自在なるように連結することができる。なお、係合孔２１に嵌合する係合用突起２０は雌型カップリングを構成する両内向鍔１４が無用に開くことのないように両ステー部３ａどうしをタイトに連結している。
【００１７】
また、架空ケーブル２３の外周面に対して前記スリップリング１２，１３，１５が接することから接触面積を小さくできるとともに、プラスチック成形体１ａ，１ｂを高密度ポリエチレンにより一体成形することで、架空ケーブルとの摺動摩擦抵抗を一層小さくすることができることから、野鳥の僅かな体重によっても回転する性能が得られる。また、高密度ポリエチレンにより成形することで該プラスチック成形体１ａ，１ｂの強度，剛性を向上させ、送電線など長径間にこの鳥害防止器を多数連結状に設けても破損し難い頑強なものとなり得る。
【００１８】
このように本発明では、一体に成形されたプラスチック成形体を架空ケーブルを間にして合着するだけで回転式鳥害防止器が構成されるので、従来のように棒の被覆を剥ぎ取ったり研磨する等の煩雑な加工を要さず、ガラス繊維を傷付けたりガラス繊維が表面に露出させるようなおそれもない。このため製造が容易となりコストが大幅に軽減されるとともに、高品質な製品を安定して提供できるようになる。また、従来のように棒材の両端部から雨水を浸入させるようなおそれもないので、耐候性、耐久性が優れメンテナンスも容易となる。またさらには、棒材の外周をギザギザ状に形成したことから、棘の作用と回転体のぐらつき作用が相乗し、小さな鳥から大きな鳥まで寄せ付けなくなり、鳥害を一層効果的に防止することができる。
【図面の簡単な説明】
【００１９】
【図１】本発明に係る回転式鳥害防止器を構成するプラスチック成形体の斜視図。
【図２】図１のプラスチック成形体の側面図。
【図３】図１のプラスチック成形体のＡ−Ａ線断面図。
【図４】図１のプラスチック成形体のＢ−Ｂ線断面図。
【図５】本発明に係る回転式鳥害防止器の取り付け状態を示した斜視図。
【図６】図５の回転式鳥害防止器の側面図。
【図７】図５の回転式鳥害防止器のＣ−Ｃ線断面図。
【図８】図５の回転式鳥害防止器のＤ−Ｄ線断面図。
【図９】本発明に係る回転式鳥害防止器の連結状態を示した縦断面図。
【符号の説明】
【００２０】
１ａ，１ｂ          プラスチック成形体
２，３              円弧状リム
５〜８              棒状部
１１                外向鍔
１２，１３，１５    スリップリング
１４                内向鍔
１６ａ〜１６ｃ      係合孔
１７ａ〜１７ｃ      係合孔
２２                連結ピン
２３                架空ケーブル
【図１】
2007244232.tif 000003
【図２】
2007244232.tif 000004
【図３】
2007244232.tif 000005
【図４】
2007244232.tif 000006
【図５】
2007244232.tif 000007
【図６】
2007244232.tif 000008
【図７】
2007244232.tif 000009
【図８】
2007244232.tif 000010
【図９】
2007244232.tif 000011